【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
医療廃棄流体の収集カートを排液ステーションに取り外し可能に接続するカプラーにおいて、
ａ）洗浄水供給接続具及び洗浄排液接続具を含むハウジングと、
ｂ）前記ハウジング内に回動可能に配置されたラチェットと、
ｃ）前記ラチェットに装着されたハンドルであって、前記ハウジングから外へ延びて解放位置と係止位置との間にて動くことができるハンドルと、
ｄ）前記ラチェットに装着された基端と、フック部分を有する末端とを含むフックアームとを備え、
前記フック部分は、前記ハンドルが係止位置まで動いたとき、前記ハウジングから外へ延びて受容部に係合し、それによって、前記ハンドルが解放位置まで動いて前記フック部分が前記ハウジング内に後退する迄は前記カプラーが前記受容部から取り外されるのが防止されるようになされている、カプラー。
【請求項２】
請求項１に記載のカプラーにおいて、前記洗浄水供給接続具と接続された洗浄水供給管と、前記洗浄排液接続具と接続された洗浄排液管とを含む複合ホースを更に備える、カプラー。
【請求項３】
請求項２に記載のカプラーにおいて、前記ハウジングは、電気コネクタを含み、前記複合ホースは、前記電気コネクタと連通したデータ線と、電力線とを含む、カプラー。
【請求項４】
請求項１に記載のカプラーにおいて、前記フックアームの基端は、前記ラチェットに回動可能に装着され、前記フックアームは、全体としてＬ字形のスロットを有し、また、前記カプラーは、前記ハウジング内に配置されたピンを更に備え、該ピンは、前記ハンドルが前記解放位置と係止位置との間を動いたとき、前記Ｌ字形のスロットを横断し、前記フック部分は、前記ハンドルが前記係止位置に達したとき、前記ハウジングから外に延びるようにした、カプラー。
【請求項５】
請求項４に記載のカプラーにおいて、
ｅ）前記ハウジング内に配置され、ラムを有するソレノイドと、
ｆ）前記ハウジング内に回動可能に配置され且つ前記ラムに回動可能に接続されたトグルであって、第一の歯と、第二の歯とを含む前記トグルと、
ｇ）前記ラチェットが解放スロットと係止スロットとを有し、前記解放スロットは、前記ハンドルが前記解放位置にあるとき、前記トグルの第一の歯が前記解放スロットの内部に受け入れられるように配置されており、前記係止スロットは、前記ハンドルが前記係止位置にあるとき、前記トグルの第二の歯が前記係止スロットの内部に受け入れられるように配置されており、
ｈ）前記ハウジング内に配置され且つ前記ソレノイドと連動する近接センサであって、前記カプラーが前記受容部内に配置されたとき、前記ソレノイドを起動して、該ソレノイドが前記ラムを動かし、前記トグルが回動して、前記第一の歯が前記解放スロットから外され、前記第二の歯が前記係止スロットと係合し得るようになされる、前記近接センサと、を更に備える、カプラー。
【請求項６】
請求項１に記載のカプラーにおいて、
ｅ）前記ハウジング内に配置され、ラムを有するソレノイドと、
ｆ）前記ハウジング内に回動可能に配置され且つ前記ラムに回動可能に接続されたトグルであって、第一の歯と、第二の歯とを含む前記トグルと、
ｇ）前記ラチェットが解放スロットと係止スロットとを有し、前記解放スロットは、前記ハンドルが前記解放位置にあるとき、前記トグルの第一の歯が前記解放スロットの内部に受け入れられるように配置されており、前記係止スロットは、前記ハンドルが前記係止位置にあるとき、前記トグルの第二の歯が前記係止スロットの内部に受け入れられるように配置されており、
ｈ）前記ハウジング内に配置され且つ前記ソレノイドと連動する近接センサであって、前記カプラーが前記受容部内に配置されたとき、前記ソレノイドを起動して、該ソレノイドが前記ラムを動かし、前記トグルが回動して、前記第一の歯が前記解放スロットから外され、前記第二の歯は、前記ハンドルを前記係止位置まで回転させたとき、前記係止スロットと係合し得るようになされる、前記近接センサと、を更に備える、カプラー。
【請求項７】
請求項６に記載のカプラーにおいて、前記ハウジングと前記トグルとの間を接続する張力コイルばねを更に備え、該張力コイルばねは、前記第一の歯が前記ラチェットの前記解放スロットと係合し且つ前記第二のスロットが前記ラチェットの前記係止スロットから解放されるような位置へと前記トグルを付勢するようになされている、カプラー。
【請求項８】
請求項７に記載のカプラーにおいて、前記ハウジング内に配置された非常用解放ボタンであって、前記非常用解放ボタンが押されたとき、前記ソレノイドが非起動状態とされて前記張力コイルばねにより前記ラチェットの前記第二の歯が前記係止スロットから外され、その結果、前記ハンドルを前記解放位置へと回動して前記カプラーを前記受容部から取り外すことを許容するよう、前記ソレノイドと連動する前記非常用解放ボタンを更に備える、カプラー。
【請求項９】
請求項６に記載のカプラーにおいて、前記近接センサと前記ソレノイドとの間の回路内にあるスイッチであって、前記カプラーが前記受容部内に配置されたとき、前記ソレノイドを励起させる前記スイッチを更に備える、カプラー。
【請求項１０】
前記カートの医療廃棄流体の容器を排液し且つ洗浄し得るように医療廃棄流体の収集カートに取り外し可能に接続するステーションにおいて、
ａ）排液ポンプと、
ｂ）前記排液ポンプと連通した洗浄排液管と、
ｃ）洗浄液体源と連通し得るようにされたフラッシングポンプと、
ｄ）前記フラッシングポンプと連通した洗浄水供給管と、
ｅ）カプラーと、を備え、該カプラーは、
ｉ．前記洗浄水供給管と連通した洗浄水供給接続具と、前記洗浄水排液管と連通した洗浄水排液接続具とを含む、カプラーハウジングと、
ｉｉ．前記カプラーハウジング内に回動可能に配置されたラチェットと、
ｉｉｉ．前記ラチェットに装着されたハンドルであって、該ハンドルが解放位置と係止位置との間にて動くことができるように前記カプラーハウジングから外に延びる前記ハンドルと、
ｉｖ．前記ラチェットに装着された基端と、フック部分を有する末端とを含むフックアームと、を備え、
前記フック部分は、前記ハンドルが係止位置まで動いたとき、前記カプラーハウジングから外へ延びて前記カートの受容部に係合し、それによって、前記ハンドルが解放位置まで動いて前記フック部分が前記カプラーハウジング内に後退する迄は前記カプラーが前記カートの受容部から取り外されるのが防止されるようになされている、ステーション。
【請求項１１】
請求項１０に記載のステーションにおいて、前記排液ポンプ及び前記フラッシングポンプを保持するステーションハウジングと、前記ステーションハウジングと前記カプラーとの間を延びる複合ホースであって、前記洗浄水供給管と前記洗浄排液管とを含む、前記複合ホースとを更に備える、ステーション。
【請求項１２】
請求項１１に記載のステーションにおいて、前記ステーションハウジング内に配置されたプロセッサを更に備え、前記カプラーハウジングは、電気コネクタを含み、前記複合ホースは、前記電気コネクタ及び前記プロセッサと連通したデータ線と、電力線とを含む、ステーション。
【請求項１３】
請求項１０に記載のステーションにおいて、
ｅ）前記カプラーハウジング内に配置され、ラムを有するソレノイドと、
ｆ）前記カプラーハウジング内に回動可能に配置され且つ前記ラムに回動可能に接続されたトグルであって、第一の歯と、第二の歯とを含む前記トグルと、
ｇ）前記ラチェットが解放スロットと係止スロットとを有し、前記解放スロットは、前記ハンドルが前記解放位置にあるとき、前記トグルの第一の歯が前記解放スロットの内部に受け入れられるように配置されており、前記係止スロットは、前記ハンドルが前記係止位置にあるとき、前記トグルの第二の歯が前記係止スロットの内部に受け入れられるように配置されており、
ｈ）前記カプラーハウジング内に配置され且つ前記ソレノイドと連動する近接センサであって、前記カプラーが前記受容部内に配置されたとき、前記ソレノイドを起動して、該ソレノイドが前記ラムを動かし、前記トグルが回動して、前記第一の歯が前記解放スロットから外され、前記第二の歯が前記係止スロットと係合し得るようになされる、前記近接センサと、を更に備える、ステーション。
【請求項１４】
請求項１０に記載のステーションにおいて、
ｅ）前記カプラーハウジング内に配置され、ラムを有するソレノイドと、
ｆ）前記カプラーハウジング内に回動可能に配置され且つ前記ラムに回動可能に接続されたトグルであって、第一の歯と、第二の歯とを含む前記トグルと、
ｇ）前記ラチェットが解放スロットと係止スロットとを有し、前記解放スロットは、前記ハンドルが前記解放位置にあるとき、前記トグルの第一の歯が前記解放スロットの内部に受け入れられるように配置されており、前記係止スロットは、前記ハンドルが前記係止位置にあるとき、前記トグルの第二の歯が前記係止スロットの内部に受け入れられるように配置されており、
ｈ）前記ハウジング内に配置され且つ前記ソレノイドと連動する近接センサであって、前記カプラーが前記受容部内に配置されたとき、前記ソレノイドを起動して、該ソレノイドが前記ラムを動かし、前記トグルが回動して、前記第一の歯が前記解放スロットから外され、前記第二の歯は、前記ハンドルを前記係止位置まで回転させたとき、前記係止スロットと係合し得るようになされる、前記近接センサと、を更に備える、ステーション。
【請求項１５】
請求項１４に記載のステーションにおいて、前記ハウジング内に配置された非常用解放ボタンであって、前記非常用解放ボタンが押されたとき、前記ソレノイドが非起動状態とされて前記張力コイルばねにより前記ラチェットの前記第二の歯が前記係止スロットから外され、その結果、前記ハンドルを前記解放位置へと回動して前記カプラーを前記受容部から取り外すことを許容するよう、前記ソレノイドと連動する前記非常用解放ボタンを更に備える、ステーション。
【請求項１６】
請求項１４に記載のステーションにおいて、前記近接センサと前記ソレノイドとの間の回路内にあるスイッチであって、前記カプラーが前記受容部内に配置されたとき、前記ソレノイドを励起させる前記スイッチを更に備える、ステーション。
【請求項１７】
医療廃棄流体の収集カートにおいて、
ａ）第一の流体収集キャニスタと、第二の流体収集キャニスタと、
ｂ）前記第一の流体収集キャニスタ及び第二の流体収集キャニスタと選択的に連通し、また、洗浄流体の供給源と、排液及び真空圧源と連通し得るようにされた弁組立体と、
ｃ）前記弁組立体と連動する弁の駆動システムと、
ｄ）前記第一の流体収集キャニスタ内に配置された第一の液位センサと、前記第二の流体収集キャニスタ内に配置された第二の液位センサと、
ｅ）前記第一及び第二の液位センサ並びに前記弁の駆動システムと連動するプロセッサであって、第一及び第二の液位センサにより検出された前記第一及び前記第二の流体収集キャニスタ内の前記液位に基づいて、医療処置、排液及びフラッシングを行う間、流体を収集し得るように、前記弁駆動システムを介して前記弁組立体を設定するようにした前記プロセッサとを備える、医療廃棄流体の収集カート。
【請求項１８】
請求項１７に記載のカートにおいて、前記プロセッサと連動する真空ポンプであって、医療処置を行う間、前記弁組立体が流体を収集し得るように前記プロセッサにより設定されるとき、起動することができる前記真空ポンプを更に備える、カート。
【請求項１９】
請求項１８に記載のカートにおいて、前記真空ポンプは可変速度真空ポンプであり、前記真空ポンプ及び前記第一及び第二の流体収集キャニスタと連通する真空圧管と、該真空圧管内に配置された圧力センサとを更に備え、前記圧力は、前記プロセッサが前記真空圧管内の圧力に基づいて真空ポンプの速度を制御するように前記プロセッサと連動する、カート。
【請求項２０】
請求項１７に記載のカートにおいて、前記第一及び第二の流体収集キャニスタに隣接する位置に配置された照明装置であって、その内部の液位を観察することができるように前記第一及び第二の流体収集キャニスタを照明する前記照明装置を更に備える、カート。
【請求項２１】
請求項２０に記載のカートにおいて、前記照明装置は前記プロセッサと連動し且つ該プロセッサにより制御され、また、流体を収集するため使用されるキャニスタに対して自動的に照明される、カート。
【請求項２２】
請求項１７に記載のカートにおいて、前記プロセッサと連通し且つ操作者がタッチスクリーンを介してカートの作動を制御することを許容するタッチスクリーンを更に備える、カート。
【請求項２３】
請求項２２に記載のカートにおいて、前記タッチスクリーンは、前記操作者に対して前記流体収集キャニスタの少なくとも１つがほぼ満杯であるとの視覚的表示を提供する、カート。
【請求項２４】
請求項１７に記載のカートにおいて、前記プロセッサと連動する聴覚的装置であって、前記操作者に対して前記流体収集キャニスタの少なくとも１つがほぼ満杯であるとの可聴的表示を提供する前記聴覚的装置を更に備える、カート。
【請求項２５】
請求項１７に記載のカートにおいて、前記弁駆動組立体は、前記弁組立体と接続された歯車列と、前記歯車列及び前記プロセッサと接続された電気駆動モータとを含む、カート。
【請求項２６】
請求項１７に記載のカートにおいて、前記第一及び第二の液位センサは、磁歪型変換器である、カート。
【請求項２７】
請求項１７に記載のカートにおいて、前記弁組立体は、前記洗浄液体源と連通し得るようにされた洗浄弁と、排液弁及び通気弁と連通し得るようにされた排液弁とを含み、前記排液弁及び通気弁の各々は、前記流体収集キャニスタと選択的に連通する、カート。
【請求項２８】
請求項２７に記載のカートにおいて、前記洗浄弁及び受容部と連通した洗浄液体供給管と、前記排液弁及び前記受容部と連通した洗浄水排液管とを更に備え、前記受容部は、前記洗浄液体の供給源及び排液管と連通し得るようにされた、カート。
【請求項２９】
請求項１７に記載のカートにおいて、前記第一及び第二の流体収集キャニスタ内に配置された清浄化ノズルであって、前記弁組立体が洗浄液体を選択的に受け取ることができるように前記弁組立体と連通した前記清浄化ノズルを更に備える、カート。
【請求項３０】
請求項２９に記載のカートにおいて、前記ノズルは回転する、カート。
【請求項３１】
請求項１７に記載のカートにおいて、前記キャニスタは、アクリル製であり、また、フッ化被覆を含む、カート。
【請求項３２】
請求項１７に記載のカートにおいて、
ｆ）頂部板と、
ｇ）底部板と、
ｈ）前記頂部板と前記底部板との間に配置された第一及び第二のシリンダであって、前記頂部板及び前記底部板と協働して第一及び第二の流体収集キャニスタを規定するようにした前記第一及び第二のシリンダとを更に備える、カート。
【請求項３３】
請求項３２に記載のカートにおいて、前記頂部板は、第一及び第二の円形の開口部を有し、また、
ｉ）前記第一及び第二の円形の開口部内にそれぞれ配置された第一及び第二のカートの蓋リング組立体を更に備え、該第一及び第二のカートの蓋リング組立体の各々は、
ｉ．前記カートの頂部板の前記第一及び第二の円形の開口部の１つと係合するカートの蓋リングであって、中央の開口部と、周縁のリップ部分とを有する前記カートの蓋リングと、
ｉｉ．前記カートの蓋リングの前記中央開口部内に配置された蓋整合部材であって、蓋整合スパッドを含む、前記蓋整合部材と、
ｉｉｉ．前記カートの蓋リングの前記リップ部分と取り外し可能に係合する蓋であって、前記蓋整合部材の前記蓋整合スパッドが係合したとき、前記カートの蓋リング上に適正に配置されるポートを有する前記蓋とを含む、カート。
【請求項３４】
医療廃棄流体を収集し且つ処分するシステムにおいて、
ａ）医療廃棄流体の収集カートであって、
ｉ．第一の流体収集キャニスタと、第二の流体収集キャニスタと、
ｉｉ．前記第一の流体収集キャニスタ及び第二の流体収集キャニスタと選択的に連通する弁組立体と、
ｉｉｉ．前記弁組立体と連動する弁の駆動システムと、
ｉｖ．前記第一の流体収集キャニスタ内に配置された第一の液位センサと、前記第二の流体収集キャニスタ内に配置された第二の液位センサと、
ｖ．前記第一及び第二の液位センサ並びに前記弁の駆動システムと連動するカートプロセッサと、
ｖｉ．前記弁組立体と連通したカートの排液管と、
ｖｉｉ．前記弁組立体と連通したカートのフラッシング管と、
ｖｉｉｉ．前記カートプロセッサと連通したカートのデータ線とを含む前記医療廃棄流体の収集カートと、
ｂ）ステーションであって、
ｉ．排液システムと連通し得るようにされた出口と、入口とを有する排液ポンプと、
ｉｉ．出口及び入口を有するフラッシングポンプと、
ｉｉｉ．前記フラッシングポンプの入口と連通した洗浄液体源と、
ｉｖ．前記排液ポンプ及び前記フラッシングポンプと連動するステーションプロセッサと、
ｖ．前記排液ポンプの入口と連通したステーションの排液管と、
ｖｉ．前記フラッシングポンプの出口と連通したステーションのフラッシング管と、
ｖｉｉ．前記ステーションプロセッサと連通したステーションのデータ線とを含む前記ステーションと、
ｃ）前記カート及びステーションの排液管、前記カート及びステーションのフラッシング管、前記カート及びステーションのデータ線を取り外し可能に連結するカプラーであって、前記カート及びステーションのプロセッサは、前記カートの前記第一及び第二の流体収集キャニスタ内の液位に基いて前記カートの弁組立体及びステーションの排液ポンプ及びフラッシングポンプを作動させるとき協働し、医療廃棄流体を前記第一及び第二の流体収集キャニスタから排液し且つフラッシングすることができるようにした前記カプラーとを備える、医療廃棄流体を収集且つ処分するシステム。
【請求項３５】
請求項３４に記載のシステムにおいて、前記カートは、前記カートプロセッサ及び前記カプラーと関連づけられたカートの電力線を更に含み、前記ステーションは、前記カプラーと関連づけられたステーションの電力線を含み、前記カート及びステーションの電力線は取り外し可能に連結されており、前記カートプロセッサが前記ステーション電力線から電力を受け取るようになされている、システム。
【請求項３６】
請求項３４に記載のシステムにおいて、前記カートは、前記カートプロセッサと連動するタッチスクリーンであって、前記カート及びステーションのデータ線が前記カプラーにより連結されたとき、操作者が前記カート及びステーションプロセッサの双方を制御することを許容するようにした前記タッチスクリーンを更に備える、システム。
【請求項３７】
請求項３４に記載のシステムにおいて、前記カプラーは、前記ステーションの前記排液管と、前記ステーションの前記フラッシング管と、前記ステーションの前記データ線とを含む複合ホースと、前記ステーションの前記フラッシング管と連通した洗浄水供給接続具と、前記ステーションの前記排液管と連通した洗浄排液接続具と、前記ステーションの前記データ線と関連づけられた電気コネクタとを含むカプラーハウジングとを備える、システム。
【請求項３８】
請求項３７に記載のシステムにおいて、前記複合ホースは、前記カプラーハウジングの前記電気コネクタと関連づけられたステーションの電力線を含み、前記カートは、前記カートプロセッサ及び前記受容部と関連づけられたカートの電力線を含む、システム。
【請求項３９】
請求項３４に記載のシステムにおいて、前記カプラーは、係止された形態と、解放された形態とを有する係止機構を含み、前記係止機構は、前記ステーションプロセッサと連動し、前記ステーションプロセッサは、医療廃棄流体が前記第一及び第二の流体収集キャニスタから排液され且つフラッシングされるとき、前記係止機構を前記係止された形態に維持するようになされている、システム。
【請求項４０】
キャニスタ用の蓋組立体において、
ａ）前記キャニスタの開口部に係合し得るようにされた蓋リングであって、中央開口部と、周縁リップ部分とを有する前記蓋リングと、
ｂ）前記蓋リングの中央開口部内に配置された蓋整合部材であって、蓋整合スパッドと、スロットとを含む前記蓋整合部材と、
ｃ）前記蓋リングの前記リップ部分に取り外し可能に係合する蓋であって、前記蓋に配置された整合ポートと、吸引ポートとを特徴とし、前記整合ポートに前記蓋整合部材の前記蓋整合スパッドが係合したとき、前記吸引ポートは、前記蓋整合部材の前記スロットと整合するようにした、前記蓋とを備える、蓋組立体。
【請求項４１】
請求項４０に記載の蓋組立体において、前記蓋リングと前記蓋整合部材との間に配置された止め釘ピンを更に備える、蓋組立体。
【請求項４２】
キャニスタ用の蓋組立体において、
ａ）前記キャニスタの開口部に係合し得るようにされた蓋リングであって、中央開口部と、周縁リップ部分とを有する前記蓋リングと、
ｂ）前記蓋の開口部内に配置された挿入体であって、孔を含む前記挿入体と、
ｃ）前記挿入体に装着されたフラップであって、該フラップが前記インサートの孔を覆うような閉じた位置と、該孔が覆われないような開放位置との間にて回動可能な前記フラップと、
ｄ）前記フラップが前記閉じた位置にて偏倚されるよう前記フラップと係合するばねと、
ｅ）吸引ポートを有する蓋であって、前記挿入体の前記孔及び前記フラップと係合する寸法とされ、前記蓋が前記挿入体の前記孔内に配置されたとき、前記フラップが前記開放位置にあるようにする前記蓋とを備える、蓋組立体。
【請求項４３】
請求項４２に記載の蓋組立体において、前記フラップは前記挿入体の底面に取り付けられる、蓋組立体。
【請求項４４】
請求項４２に記載の蓋組立体において、前記フラップは開放部材を含む、蓋組立体。
【請求項４５】
請求項４２に記載の蓋組立体において、前記蓋は、頭部分と、円筒状部分とを含み、該頭部分は、吸引ポートを含み、前記円筒状部分は、前記蓋が前記挿入体の孔口を通して挿入されたとき、前記フラップと係合する、蓋組立体。
【請求項４６】
請求項４５に記載の蓋組立体において、前記円筒状部分は中空であり且つ前記吸引ポートと連通する、蓋組立体。